(57)【要約】【課題】地上設置型電気機器を、その外箱の仕様を変更することなく、種々の異なる設置場所に設置することができるようにする。【解決手段】正方形の４つの頂点にそれぞれ位置させた状態で基礎ベース３に設けた４つの取付け孔を貫通させたボルトｂ１１〜ｂ１４をコンクリートピット１に固定されたアンカーナットに螺合させることにより基礎ベース３をコンクリートピット１に固定し、基礎ベース３に据え付けベースを介して電気機器の構成要素を支持する。扉４１０により閉じられる開口部を一側面４ａに有し、他の側面４ｂ〜４ｃに窓部を有する外箱本体４００を基礎ベース３上に配置し、外箱本体４００内に電気機器の構成要素を据え付けベースとともに収容する。外箱本体の側面４ｂ〜４ｃに設けた窓部に蓋板９Ａ〜９Ｃを着脱可能に取り付け、一つの蓋板９Ｂに外箱内の圧力を開放する放圧部９００を設ける。【選択図】  図５
2015116028.tif 000002
【特許請求の範囲】
【請求項１】
長方形の開口部を有するコンクリートピット上に配置されてボルトにより該コンクリートピットの開口部の周辺に固定される基礎ベースと、直方体状に形成されて前記基礎ベース上に配置された外箱と、前記外箱内に配置されて前記基礎ベースに対して支持された電気機器の構成要素とを備えている地上設置型電気機器において、
前記外箱は、一側面に開口部を有し、他の３つの側面のそれぞれに窓部を有して前記電気機器の構成要素を内部に収容した状態で前記基礎ベース上に配置された外箱本体と、前記外箱本体の前記開口部を開閉自在に閉じる扉と、前記外箱本体の前記３つの側面にそれぞれ設けられた３つの窓部をそれぞれ閉じる３つの蓋板とを備えて、前記３つの蓋板のうちの一つに前記外箱内の圧力を開放する放圧部が設けられ、
前記外箱の各蓋板は、前記外箱本体の窓部が設けられた３つの側面の何れにも着脱可能に取り付けることができるように構成され、
前記基礎ベースには、該基礎ベースを前記コンクリートピットに対して固定するボルトを貫通させるための４個の取付け孔が、それぞれの中心を正方形の４つの頂点に位置させた状態で設けられていること、
を特徴とする地上設置型電気機器。
【請求項２】
前記基礎ベースは、互いに平行に延びるように設けられて前記外箱本体の下端の相対する２辺にそれぞれ沿うように配置された第１及び第２の帯板部と、該第１の帯板部の長手方向の一端と第２の帯板部の長手方向の一端との間を連結するように設けられて、前記外箱本体の下端の前記２辺に対して直角な１辺に沿わせて配置された第３の帯板部とを有して、上方から見た場合にコの字形を呈するように構成され、
前記第１の帯板部の長手方向の両端及び第２の帯板部の長手方向の両端にそれぞれ前記取付け孔が形成されている請求項２に記載の地上設置型電気機器。
【請求項３】
前記基礎ベースの取付け孔を貫通させるボルトは、前記コンクリートピットに設けられたアンカーナットに螺合されるボルトである請求項１又は２に記載の地上設置型電気機器。
【請求項４】
前記基礎ベースの取付け孔を貫通させるボルトは、前記コンクリートピットに固定されたアンカーボルトである請求項１又は２に記載の地上設置型電気機器。
【請求項５】
前記放圧部は、ルーバ又は多数の孔を有して前記３つの蓋板のうちの一つに設けられた窓部を塞ぐように取り付けられた放圧板を備えている請求項１ないし４の何れか一つに記載の地上設置型電気機器。
【発明の詳細な説明】
【技術分野】
【０００１】
本発明は、地上設置型多回路開閉器や地上設置型変圧器等の地上設置型の電気機器に関するものである。
【背景技術】
【０００２】
配電線を地中に布設する配電系統においては、特許文献１及び特許文献２に示されているように、構成要素を直方体状の外箱内に収容した構造を有する地上設置型多回路開閉器や地上設置型変圧器等の地上設置型電気機器を、市街地の歩道上の車道寄りの位置に構築されたコンクリートピット上に設置している。この種の電気機器の外箱は、保守点検作業時に開かれる扉を前面に備え、内部短絡事故が発生したときに生じる内部圧力を開放するための放圧口を他の面に備えている。地上設置型電気機器を歩道上に設置する際には、保守点検作業の安全性を確保するために、作業の際に開かれる扉を車が通らない歩道側に向けた状態で外箱を設置する必要がある。また内部短絡事故発生時に放圧口から吹き出す熱風が歩行者に触れるのを防ぐため、放圧口は、外箱の車道側に向いた面に設ける必要がある。
【先行技術文献】
【特許文献】
【０００３】
【特許文献１】特開平９−２８００６号公報
【特許文献２】特開２００２−１７１６１４号公報
【発明の概要】
【発明が解決しようとする課題】
【０００４】
従来、地上設置型電気機器は、主として歩道上に設置されていたため、安全に作業をできるのは車が通らない歩道側と決まっており、また望ましい放圧方向は車道側と決まっていた。ところが最近、配電線の地中化が進むにつれて、地上設置型電気機器を公園の植え込み内や駐車場等に設置することも多くなってきた。地上設置型電気機器を歩道以外の場所に設置する場合、安全に作業できる場所や望ましい放圧方向が一様でないため、設置現場の状況によって、外箱の扉の位置や放圧口の位置を変える必要がある。ところが、従来の地上設置型電気機器では、外箱の扉の位置や放圧口の位置を変えようとすると、外箱の仕様も変える必要があったため、機器のコストが高くなるのを避けられなかった。
【０００５】
本発明の目的は、外箱の仕様を変えることなく、設置環境に合わせて扉の向きや放圧口の向きを適宜に変更することができるようにして、歩道以外の場所にも容易に設置することができるようにした地上設置型電気機器を提供することにある。
【課題を解決するための手段】
【０００６】
本発明は、長方形の開口部を有するコンクリートピット上に配置されてボルトにより該コンクリートピットの開口部の周辺に固定される基礎ベースと、直方体状に形成されて基礎ベース上に配置された外箱と、外箱内に配置されて基礎ベースに対して支持された電気機器の構成要素とを備えている地上設置型電気機器に係るものである。
【０００７】
本発明においては、上記外箱が、一側面に開口部を有し、他の３つの側面のそれぞれに窓部を有して電気機器の構成要素を内部に収容した状態で基礎ベース上に配置された外箱本体と、外箱本体の開口部を開閉自在に閉じる扉と、外箱本体の３つの側面にそれぞれ設けられた３つの窓部をそれぞれ閉じる３つの蓋板とを備えていて、３つの蓋板のうちの一つに外箱内の圧力を開放する放圧部が設けられる。外箱の各蓋板は、外箱本体の窓部が設けられた３つの側面の何れにも着脱可能に取り付けることができるように構成され、基礎ベースには、該基礎ベースをコンクリートピットに対して固定するボルトを貫通させるための４個の取付け孔が、それぞれの中心を正方形の４つの頂点に位置させた状態で設けられている。
【０００８】
上記のように構成すると、地上設置型電気機器を設置する際に、外箱の設置位置をコンクリートピットの開口部の長手方向に沿って並ぶように設定したｎ個（ｎは２以上の整数。）の設置位置の中から適宜に選択することができ、各設置位置で、その外箱の扉をコンクリートピットの長手方向に沿った一方の方向及び他方の方向並びにコンクリートピットの幅方向に沿った一方の方向及び他方の方向の４つの方向の何れの方向に向けた状態でも配置することができるため、外箱の設置態様を４×ｎ通りに変更することができる。
【０００９】
従って、上記のように構成すると、種々の異なる設置場所に設置する地上設置型電気機器を、同一仕様の外箱を用いて構成することができ、外箱の標準化を図ってコストの低減を図ることができる。
【００１０】
また上記のように構成すると、外箱の放圧部を、扉が設けられた面以外の３つの側面の何れの面にも設けることができるため、外箱を歩道上に設置する場合は勿論、歩道以外の場所に設置する場合にも、外箱の仕様を変更することなく、設置箇所の状況に応じて、外箱の扉及び放圧部を安全上支障を来さない向きに向けた状態で配置することができる。
【００１１】
また上記のように構成すると、外箱内に必要な電気機器を組み込む際、及び現地に据え付けた後の保守点検や修理の際に、外箱本体の３つの窓部を開口させた状態で作業を行うことができるため、作業性を向上させることができる。
【００１２】
本発明の一態様では、上記基礎ベースが、互いに平行に延びるように設けられて外箱本体の下端の相対する２辺にそれぞれ沿うように配置された第１及び第２の帯板部と、第１の帯板部の長手方向の一端と第２の帯板部の長手方向の一端との間を連結するように設けられて、外箱本体の下端の２辺に対して直角な１辺に沿わせて配置された第３の帯板部とを有して、上方から見た場合にコの字形を呈するように構成され、第１の帯板部の長手方向の両端及び第２の帯板部の長手方向の両端にそれぞれ前記取付け孔が形成される。
【００１３】
上記基礎ベースの取付け孔を貫通させるボルトは、コンクリートピットに設けられたアンカーナットに螺合されるボルトであってもよく、コンクリートピットに固定されたアンカーボルトであってもよい。
【００１４】
上記放圧部は、多数の孔又はルーバーにより通気性を持たせた放圧板により構成することができる。この場合、放圧部を構成する放圧板は、３つの蓋板のうちの一つに設けた窓部を塞ぐように取り付ける。
【発明の効果】
【００１５】
本発明によれば、種々の異なる設置場所に設置する地上設置型電気機器を、同一仕様の外箱を用いて構成することができるため、外箱の標準化を図ってコストの低減を図ることができる。
【００１６】
また本発明によれば、外箱内に必要な電気機器を組み込む際、及び現地に据え付けた後の保守点検の際に、外箱本体の３つの窓部を開口させた状態で作業を行うことができるため、電気機器の組み立て作業及び保守、点検、修理作業を容易にすることができる。
【図面の簡単な説明】
【００１７】
【図１】本発明の一実施形態に係る地上設置型電気機器をコンクリートピットに据付けた状態を示した正面図である。
【図２】図１に示した地上設置型電気機器の左側面図である。
【図３】図１に示した地上設置型電気機器の背面図である。
【図４】図１に示した地上設置型電気機器の右側面図である。
【図５】図２に示した地上設置型電気機器の上面図である。
【図６】図１に示した地上設置型電気機器においてコンクリートピットを断面し、外箱の扉を外した状態を示した正面図である。
【図７】本発明の一実施形態において外箱本体の一側面の開口部の下端の縁部を構成する扉押え部材の一例を示した斜視図である。
【図８】図１〜図６に示した地上設置型電気機器を設置するコンクリートピットの一例を示した上面図である。
【図９】本実施形態で用いる基礎ベースの上面図である。
【図１０】図１〜図６に示した実施形態において、図８に示したコンクリートピット上に基礎ベースとピット蓋とを配置した状態を示した上面図である。
【図１１】本発明の一実施形態に係る地上設置型電気機器を図１ないし図７に示した向きに対して９０度異なる向きに向けて設置する際に、図８に示したコンクリートピット上に基礎ベースとピット蓋とを配置した状態を示した上面図である。
【図１２】（Ａ）ないし（Ｄ）は、本発明に係る地上設置型電気機器を、その外箱の扉をコンクリートピットの開口部の長手方向に向けた状態で設置する場合の４つの異なる設置態様を模式的に示した上面図である。
【図１３】（Ａ）ないし（Ｄ）は、本発明に係る地上設置型電気機器を、その外箱の扉をコンクリートピットの開口部の幅方向に向けた状態で設置する場合の４つの異なる設置態様を模式的に示した上面図である。
【発明を実施するための形態】
【００１８】
以下図面を参照して本発明に係る地上設置型電気機器の実施形態について説明する。
本発明に係る地上設置型電気機器は、地上設置型変圧器や、地上設置型多回路開閉器のように、配電線が地中に布設された配電系統に変圧器や開閉器等を接続するために地上に設置されるものである。地上設置型電気機器は、外箱と該外箱内に収容された電気機器の構成要素とにより構成され，外箱が設置箇所に構築されたコンクリートピット上に据え付けられる。
【００１９】
図１ないし図６は、本発明に係る地上設置型電気機器の一実施形態の全体的な構成を示したものであり、これらの図において１はコンクリートピット、２は地上設置型電気機器である。本実施形態に係る地上設置型電気機器が設置されるコンクリートピット１は、地面Ｅから上方に突出させた状態で配置される部分が、図８に示すように長方形の開口部１０１を有する枠形の形状を呈するように構成される。コンクリートピット１の下端は配電ケーブルを配置する地下溝（図示せず。）に接続されていて、地下溝から立ち上げられたケーブル（図示せず。）が、コンクリートピット１の内側の孔部１０２（図６及び図８参照）内を通して、コンクリートピット１上に固定された地上設置型電気機器の外箱内に導入される。
【００２０】
地上設置型電気機器２は、コンクリートピット１の開口部１０１の周辺に固定される基礎ベース３と、直方体状に形成されて基礎ベース３上に配置された外箱４と、外箱４内に配置されて基礎ベース３に対して支持された電気機器の構成要素とを備えている。
【００２１】
本実施形態に係る地上設置型電気機器２は、地上設置型の多回路開閉器であって、配電系統の幹線に挿入される開閉器や、幹線と複数の分岐線との間をそれぞれ開閉する複数の開閉器を含む開閉器群と、各開閉器を操作する操作機構とを備えた開閉器ユニット５（図６参照）を、金属製の外箱４内に収容することにより構成される。開閉器ユニット５は、下端が基礎ベース３に固定された据え付けベース６の上に据え付けられた状態で外箱４内に収容される。
【００２２】
コンクリートピット１の長方形の開口部１０１は、地上設置型電気機器２をコンクリ―トピット１上に設置した状態で、外箱４により塞がれることが無い部分が残されるように形成されていて、開口部１０１の外箱４により塞がれることがない部分は、コンクリートピット１に着脱可能に取り付けられたピット蓋７により閉じられる。
【００２３】
図８に示すように、コンクリートピット１の開口部１０１の周囲には、外箱４を開口部１０１の長手方向の一端寄りに設定した第１の設置位置に設置する際に基礎ベース３をコンクリートピット１に対して固定するために用いる４個の第１群のアンカーナットｎ１１〜ｎ１４と、外箱４を開口部１０１の長手方向の他端寄りに設定した第２の設置位置に設置する際に基礎ベース３をコンクリートピット１に対して固定するために用いる４個の第２群のアンカーナットｎ２１〜ｎ２４と、地上設置型電気機器の外箱４を第１の設置位置に設置した際に、外箱４により塞がれない部分を閉じるピット蓋７を固定するためにのみ用いるアンカーナットｎ１５，ｎ１６と、外箱４を第２の設置位置に設置した際に外箱４により塞がれない部分を閉じるピット蓋７を固定するためにのみ用いるアンカーナットｎ２５，ｎ２６とが設けられている。各アンカーナットは、その中心軸線をコンクリートピット１の上面（水平面）に対して垂直な方向に向けた状態で設けられている。
【００２４】
本実施形態では、外箱４を各設置位置に設置する際に、外箱の前面を９０度異なる４つの方向の何れの方向にも向けることができるようにするため、各群の４個のアンカーナットが、それぞれの中心を水平面上で（コンクリートピットの上面上で）正方形の４つの頂点に位置させた状態で配置されている。本明細書では、４個のアンカーナットをこのように配置することを、４個のアンカーナットを正方形配置するという。
【００２５】
図示の例では、２個のアンカーナットｎ１１とｎ１３とをコンクリートピット１の長手方向の一端寄りの位置で該コンクリートピットの幅方向に一定ピッチＰ１で並べ、２個のアンカーナットｎ１１とｎ１２をコンクリートピット１の幅方向の一端寄りの位置で、該コンクリートピット１の長手方向に一定ピッチＰ１で並べ、２個のアンカーナットｎ１３とｎ１４とを、コンクリートピット１の幅方向の他端寄りの位置で、コンクリートピット１の長手方向に一定ピッチＰ１で並べ、かつ２個のアンカーナットｎ１２とｎ１４とをコンクリートピットの長手方向の中央部寄りの位置でコンクリートピットの幅方向に一定ピッチＰ１で並べた状態で、４個の第１群のアンカーナットｎ１１〜ｎ１４を正方形配置している。
【００２６】
また図示の例では、２個のアンカーナットｎ２１とｎ２３とをコンクリートピット１の長手方向の他端寄りの位置で該コンクリートピットの幅方向に一定ピッチＰ１で並べ、２個のアンカーナットｎ２１とｎ２２をコンクリートピット１の幅方向の一端寄りの位置で、該コンクリートピット１の長手方向に一定ピッチＰ１で並べ、２個のアンカーナットｎ２３とｎ２４とを、コンクリートピット１の幅方向の他端寄りの位置で、コンクリートピット１の長手方向に一定ピッチＰ１で並べ、かつ２個のアンカーナットｎ２２とｎ２４とをコンクリートピットの長手方向の中央部寄りの位置でコンクリートピットの幅方向に一定ピッチＰ１で並べた状態で、４個の第２群のアンカーナットｎ２１〜ｎ２４を正方形配置している。コンクリートピット１の開口部１０１の長手方向寸法Ｌは、Ｌ＜２×Ｐ１の関係を満たし、開口部１０１の幅寸法Ｗは、Ｗ＜Ｐ１の関係を満たすように設定されている。
【００２７】
第１群のアンカーナットｎ１１ないしｎ１４を用いて基礎ベース３をコンクリートピットに固定する際にピット蓋７を固定するために用いるアンカーナットｎ２５及びｎ２６はそれぞれ、アンカーナットｎ１２とｎ２１との間及びアンカーナットｎ１４とｎ２３との間に、アンカーナットｎ１２及びｎ１４に対して一定間隔Ｐ２を隔てた状態で設けられている。アンカーナットｎ１１ないしｎ１４を用いて基礎ベース３をコンクリートピットに固定する際には、アンカーナットｎ２５及びｎ２６とアンカーナットｎ２１及びｎ２３とを用いてピット蓋７をコンクリートピット１に固定する。
【００２８】
またアンカーナットｎ２１ないしｎ２４を用いて基礎ベース３をコンクリートピットに固定する際にピット蓋７を固定するために用いるアンカーナットｎ１５及びｎ１６はそれぞれ、アンカーナットｎ２２とｎ１１との間及びアンカーナットｎ２４とｎ１３との間に、アンカーナットｎ２２及びｎ２４に対して一定間隔Ｐ２を隔てた状態で設けられている。アンカーナットｎ２１ないしｎ２４を用いて基礎ベース３をコンクリートピットに固定する際には、アンカーナットｎ１５及びｎ１６とアンカーナットｎ１１及びｎ１３とを用いてピット蓋７をコンクリートピット１に固定する。
【００２９】
コンクリートピット１に基礎ベース３及びピット蓋７を固定する際には、基礎ベース及びピット蓋に設けられた取付け孔を貫通させたボルトを所定のアンカーナットにねじ込むことにより、基礎ベース３及びピット蓋７をコンクリートピット１に締結する。本明細書では、アンカーナットｎ１１〜ｎ１６及びｎ２１〜ｎ２６にそれぞれねじ込まれるボルトを符号ｂ１１〜ｂ１６及びｂ２１〜ｂ２６で表わすことにする。なお各アンカーナットとしては、同一規格のものが用いられ、各ボルトとしては、何れのアンカーナットにも螺合し得るものが用いられる。
【００３０】
図示の外箱４は、４つの側面４ａないし４ｄと、天井面４ｆとを有して、全体が直方体状を呈するように構成された外箱本体４００（図６参照）を備えている。本実施形態では、外箱４の側面４ａを外箱の正面とし、側面４ａと反対側に向いた側面４ｃを外箱の背面とする。外箱本体４００の側面（正面）４ａには、外箱内の機器（本実施形態では開閉器ユニット５）を操作する際に用いる操作用開口部４０１（図６参照）が設けられ、外箱本体４００の他の３つの側面４ｂ〜４ｄには、作業用開口部として機能する窓部４０２ないし４０４が、それぞれの側面の下端寄りに位置させて設けられている。窓部４０２〜４０４は、側面４ｂ〜４ｄを構成する鋼板の一部を矩形状に切り取ることにより構成されている。外箱本体４００の底部は、コンクリートピット１の孔部１０２内に開口させられる開口部となっている。
【００３１】
図示の外箱本体４００は、例えば、直方体の隣り合う３つの側面４ｂないし４ｄをそれぞれ構成するように鋼板をコの字形に折曲げて形成した構造体の上端に天井面４ｆを構成する天井板を溶接することにより形成した箱体と、この箱体を必要に応じて内側から補強する補強材とにより構成される。
【００３２】
図６に見られるように、外箱本体４００の開口部４０１は縁部４０１ａ〜４０１ｄを有する額縁の形状を呈するように形成されている。額縁の左右の縁部４０１ａ，４０１ｂは、外箱本体の側面４ｂ〜４ｄを構成する構造体と一体に形成され、額縁の上端を構成する縁部４０１ｃは、天井面４ｆを構成する天井板と一体に形成されている。開口部４０１の下端の縁部４０１ｄは、後述する扉を閉じた状態にロックする機能を果たす扉押え部材８（図７参照）により構成されている。扉押え部材８は着脱可能に設けられていて、扉押え部材８を外すことにより（縁部４０１ｄを外すことにより）、開口部４０１の下端を下方に開口させることができるようになっている。
【００３３】
外箱本体４００の操作用開口部４０１の縁部４０１ｂには、開口部４０１を開閉自在に閉じる扉４１０（図１，２，４，５参照）がヒンジ（図示せず。）を介して取り付けられている。扉４１０の内側には、扉押え板８に設けられたかんぬき挿入孔に抜き差し自在に挿入されるかんぬきを備えたロック機構が設けられ、該ロック機構を操作する操作ハンドル４１１が、扉４１０の外側に着脱可能に設けられている。
【００３４】
外箱本体４００の窓部４０２ないし４０４がそれぞれ形成された３つの側面４ｂないし４ｄには、窓部４０２ないし４０４をそれぞれ閉じる矩形状の３つの蓋板９Ａないし９Ｃが着脱可能に取り付けられている。本実施形態では、蓋板９Ａないし９Ｃを外箱本体の側面４ｂないし４ｃに取り付けるために、外箱本体の側面４ｂないし４ｃをそれぞれ構成する側壁の内側に、ナットが設けられたナット板（図示せず。）がネジ止めなどにより固定され、蓋板９Ａないし９Ｃと外箱本体の側面４ｂないし４ｃをそれぞれ構成する側壁とを貫通して対応するナット板に設けられたナットにねじ込まれた多数のネジ１０により、蓋板９Ａないし９Ｃが、外箱本体の側面４ｂないし４ｃに着脱可能に取り付けられている。各蓋板は、外箱本体４００の窓部が設けられた３つの側面の何れにも着脱可能に取り付けることができるように構成されている。
【００３５】
本発明においては、３つの蓋板９Ａないし９Ｃのうちの一つに外箱４内の圧力を開放する放圧部９００（図３参照）が設けられる。図３に示された放圧部９００は、一つの蓋板（図示の例では蓋板９Ｂ）に設けられた放圧部構成用窓部９０１と、窓部９０１を塞ぐように取り付けられた放圧板９０２とからなっている。放圧板９０２は、通気性を持たせるためにルーバー９０２ａを形成した板からなっていて、蓋板９Ｂの窓部９０１の周辺部に溶接されている。なお本実施形態では、放圧板９０２に通気性を持たせるためにルーバー９０２ａを設けているが、放圧板９０２に、ルーバー９０２ａに代えて多数の孔を設けてもよい。
【００３６】
本実施形態では、外箱本体の背面に放圧部９００を備えた蓋板９Ｂを取り付けているが、蓋板９Ｂは外箱本体４００の３つの側面４ｃ〜４ｄの何れにも取り付けることができるため、外箱本体４００の３つの側面のうちの何れの面にも放圧部９００を設けることができる。
【００３７】
外箱本体４００は、コンクリートピット１に固定された基礎ベース３上に配置されて、その下端が基礎ベース３に対して適宜の手段により固定される。本実施形態で用いる基礎ベース３は、図９に示されているように、互いに平行に延びるように設けられて外箱本体４００の下端の相対する２辺にそれぞれ沿うように配置される第１及び第２の帯板部３Ａ及び３Ｂと、第１の帯板部３Ａの長手方向の一端と第２の帯板部３Ｂの長手方向の一端との間を連結するように設けられて、外箱本体の下端の前記２辺に対して直角な１辺に沿わせて配置される第３の帯板部３Ｃとを一体に有して、上方から見た場合にコの字形を呈するように形成されている。
【００３８】
図示の基礎ベース３は、その上に外箱本体４００の下端を載せた際に、第１及び第２の帯板部３Ａ及び３Ｂの両端と連結部３Ｃの一部とが外箱本体４００の下端から外側にはみ出すように形成され、基礎ベース３の四隅の外箱本体４００の下端からはみ出す部分に、基礎ベース３をコンクリートピット１に固定するためにアンカーナットｎ１１〜ｎ１４またはアンカーナットｎ２１〜ｎ２４に螺合されるボルトｂ１１〜ｂ１４またはｂ２１〜ｂ２４を貫通させるための４つの取付け孔ｈａ〜ｈｄが、それぞれの中心を正方形の４つの頂点に位置させた状態で設けられている。図示の例では、第１の帯板部３Ａの長手方向の両端及び第２の帯板部３Ｂの長手方向の両端にそれぞれ取付け孔ｈａ，ｈｂ及びｈｃ，ｈｄが形成されている。
【００３９】
外箱４をコンクリートピット１に固定する際に、外箱４の扉４１０を９０度異なる４つの方向の何れの方向にも向けることができるようにするため、前述のように、基礎ベース３をコンクリートピット１に固定するために用いる４個の第１群のアンカーナットｎ１１〜ｎ１４及び第２群のアンカーナットｎ２１〜ｎ２４が、それぞれの中心を水平面上に仮想される正方形の４つの頂点に位置させた状態で設けられるとともに、基礎ベース３の４個の取付け孔ｈａ〜ｈｄが、４個の第１群のアンカーナットｎ１１〜ｎ１４及び第２群のアンカーナットｎ２１〜ｎ２４の何れにも整合し得るように設けられている。
【００４０】
本実施形態では、開閉器ユニット５を基礎ベース３に対して支えるために、基礎ベース３に据付ベース６が固定される。図６に示されているように、据付ベース６は、基礎ベース３の第１の帯板部３Ａ及び第２の帯板部３Ｂのそれぞれの長手方向に沿って伸びる（図６の紙面と直角な方向に伸びる）ように設けられた一対のベース金具６０１，６０２と、一方のベース金具６０１の長手方向に間隔を隔てて並ぶように設けられて、該一方のベース金具６０１の長手方向の両端に下端が固定された２本の脚部６０３，６０３（図には２本の脚部６０３の一方のみが現れている。）と、他方のベース金具６０２の長手方向に間隔を隔てて並ぶように設けられて、該他方のベース金具６０２の長手方向の両端に下端が固定された２本の脚部６０４，６０４（図には２本の脚部６０４の一方のみが現れている。）と、これら４本の脚部６０３，６０３，６０４，６０４の上端に固定された枠部６０５とを備えている。据付ベース６は、その一対のベース金具６０１，６０２をそれぞれ基礎ベース３の第１の帯板部３Ａ及び第２の帯板部３Ｂにボルト止めすることにより基礎ベース３に固定され、枠部６０５の上に開閉器ユニット５が支持されている。
【００４１】
前述した扉押え部材８は、図７に示すように、基板部８０１と、基板部８０１の幅方向の一端から上方に起立した起立部８０２と、起立板部８０２の上端から基板部８０１側に直角に折曲げられた折曲げ部８０３と、基板部８０１の下面に溶接された位置決め板８０４とを備えている。扉押え板８は、その基板部８０１を基礎ベース３の第１及び第２の帯板部３Ａ及び３Ｂの先端部（外箱本体４００の前面から外部に突出した部分）の上に載せ、位置決め板８０４を基礎ベース３の第１及び第２の帯板部３Ａ及び３Ｂの先端部の間に嵌め込んだ状態で配置されて、起立部８０２の両端に設けられた取付け孔８０５，８０５を貫通させたボルト８０６，８０６を据付ベース６のベース金具６０１，６０２に設けられたネジ孔にねじ込むことにより据付ベース６に固定される。
【００４２】
本実施形態の地上設置型電気機器をコンクリートピット１に設置する際には、先ず現地の状況に応じて、外箱４の扉４１０を向ける向きと、コンクリートピット１の開口部の長手方向に対する外箱４の位置とを決定し、基礎ベース３の取付け孔ｈａ〜ｈｄを外箱４を設置する位置に応じて、コンクリートピット１に固定された第１群のアンカーナットｎ１１〜ｎ１４又は第２群のアンカーナットｎ２１〜ｎ２４に整合させて、基礎ベース３の取付け孔ｈａ〜ｈｄをそれぞれ貫通させたボルトを所定のアンカーナットにねじ込むことにより、基礎ベース３をコンクリートピット１に固定する。
【００４３】
図１ないし図６に示した例では、コンクリートピット１の開口部１０１の長手方向の一端寄りの位置（図５において上端寄りの位置）に、外箱４の扉４１０を開口部１０１の長手方向の他端側（図５において下側）に向けた状態で設置するものとして、基礎ベース３の取付け孔ｈａ，ｈｂ，ｈｃ及びｈｄをそれぞれアンカーナットｎ１１，ｎ１２，ｎ１３及びｎ１４に整合させ、基礎ベース３の取付け孔ｈａ〜ｈｄをそれぞれ貫通させたボルトｂ１１〜ｂ１４をアンカーナットｎ１１〜ｎ１４（アンカーナットの配置については図８参照）にねじ込むことにより、基礎ベース３をコンクリートピット１に固定している。
【００４４】
コンクリートピット１に固定された基礎ベース３に据付ベース６を固定して、据付ベース６上に開閉器ユニット５を据え付けた後、据付ベース６及び開閉器ユニット５を外箱本体４００の内部に収容した状態で外箱本体４００を基礎ベース３上に配置し、外箱本体４００の下端を据付ベース６のベース金具６０１，６０２にボルト止めすることにより、外箱本体４００の下端を基礎ベース３に対して固定する。
【００４５】
その後、地下溝から立ち上げたケーブルを外箱内に導入して外箱内の開閉器ユニット５に接続し、扉押え部材８をボルト８０６により据付ベース６のベース金具６０１，６０２にボルト止めして外箱本体４００の開口部の下端の縁部４０１ｄを構成する。このようにして扉押え部材８を据付ベース６に固定した状態で、扉押え部材８に設けられたかんぬき挿入孔８０７（図７参照）が、閉位置にある扉４１０の内側に取り付けられたかんぬきの下端を受入れることができる位置に配置されるように、かんぬき挿入孔８０７の位置が設定されている。なお図２及び図４においては、扉押え部材８の図示が省略されている。
【００４６】
上記のようにして外箱４をコンクリートピット１上に設置した後、コンクリートピット１の開口部１０１の外箱４により塞がれていない部分を、すべり止めのための凹凸部７ａが上面に形成されたピット蓋７により閉じる。上記のように外箱を設置する場合、ピット蓋７は、図１０に示すように、その四隅に設けた取付け孔を貫通させたボルトｂ２１，ｂ２３，ｂ２５及びｂ２６をそれぞれコンクリートピット１に設けられたアンカーナットｎ２１，ｎ２３，ｎ２５及びｎ２６にねじ込むことによりコンクリートピット１に固定される。
【００４７】
本実施形態においては、基礎ベース３を固定するためにコンクリートピット１に設けられた４個のアンカーナット及びこれらのアンカーナットにねじ込むボルトを貫通させるために基礎ベースに設けられた４個の取付け孔が正方形の頂点に位置するように設けられているため、扉４１０をコンクリートピット１の長手方向に沿った一方の方向及び他方の方向並びにコンクリートピット１の幅方向に沿った一方の方向及び他方の方向の何れの方向に向けた状態でも外箱４をコンクリートピット１に対して固定することができる。
【００４８】
例えば、外箱４を図５の設置位置に対して反時計方向に９０度回転させた方向に向けて設置する場合には、基礎ベース３に設けられた取付孔ｈａ，ｈｂ，ｈｃ及びｈｄをそれぞれアンカーナットｎ１２，ｎ１４，ｎ１１及びｎ１３に整合させて、図１１に示したように、基礎ベース３の取付孔ｈａ，ｈｂ，ｈｃ及びｈｄをそれぞれ貫通させたボルトｂ１２，ｂ１４、ｂ１１及びｂ１３をアンカーナットｎ１２，ｎ１４，ｎ１１及びｎ１３にねじ込むことにより、基礎ベース３をコンクリートピット１に固定するようにすればよい。
【００４９】
また基礎ベース３を第２群のアンカーナットｎ２１〜ｎ２４を用いてコンクリートピット１に固定することにより、外箱４を上記の実施形態で示した設置位置に対して開口部１０１の長手方向に一定距離を隔てた第２の設置位置に外箱４を設置することができ、その位置で外箱の扉４１０を互いに９０度異なる４通りの方向に向けることができる。
【００５０】
上記のように、本実施形態によれば、コンクリートピット１の開口部１０１の長手方向に沿った外箱の位置を、開口部１０１の長手方向の一端側に寄った位置と他端側に寄った位置との２通りの位置に設定することができ、設定した各位置で外箱の扉４１０を４通りの向きに向けることができるため、図１２（Ａ）〜（Ｄ）及び図１３（Ａ）〜（Ｄ）に示すように、外箱の仕様を変更することなしに、外箱４とピット蓋７とコンクリートピット１との間に合計８通りの位置関係を持たせることができる。従って、種々の異なる設置場所に設置する地上設置型電気機器を、同一仕様の外箱を用いて構成することができ、外箱の標準化を図ってコストの低減を図ることができる。
【００５１】
また上記のように構成すると、外箱４の放圧部９００を扉が設けられた面以外の３つの側面４ｂ〜４ｄの何れの面にも設けることができるため、地上設置型電気機器の外箱４を歩道上に設置する場合は勿論、歩道以外の場所に設置する場合にも、外箱の仕様を変更することなく、設置箇所の状況に応じて、外箱の扉４１０及び放圧部９００を現地の状況に応じて安全上支障を来さない向きに向けた状態で配置することができる。
【００５２】
上記の説明では、先ずコンクリートピット１に基礎ベース３を取り付け、基礎ベース３上に据付ベース６を介して開閉器ユニット５を支持した後に外箱本体４００を基礎ベース３上に配置して据付ベース６に固定することにより、地上設置型電気機器２をコンクリートピット１上に設置するようにしたが、地上設置型電気機器２の設置の仕方は上記の例に限定されない。例えば、基礎ベース３の上に据付ベース６を介して開閉器ユニット５を支持するとともに、基礎ベース３上に配置した外箱本体を据付ベース６に固定して、地上設置型電気機器２を組立てた後に、該地上設置型電気機器２の基礎ベース３をコンクリートピット１に固定するようにしても良い。
【００５３】
上記の実施形態では、基礎ベース３の第１の帯板部３Ａ及び第２の帯板部３Ｂの両端を外箱本体４００の側面の下端から外側にはみ出した状態で設けて、外箱本体の側面の下端から外側にはみ出した第１の帯板部３Ａ及び第２の帯板部３Ｂの両端に取付け孔ｈａ〜ｈｄを設けたが、基礎ベース３の第１の帯板部３Ａ及び第２の帯板部３Ｂの両端を外箱本体４００の側面の下端から外側にはみ出さないように設けて、取付け孔ｈａ〜ｈｄを外箱本体４００の内側に位置させた状態で設けるようにしてもよい。このように構成する場合には、前述の実施形態のように、先ずコンクリートピットに基礎ベース３を固定した後に、該基礎ベース上に据付ベース６を介して開閉器本体５を支持するとともに、外箱本体４００を配置して、該外箱本体４００を据付ベースに固定する手順により、地上設置型電気機器２を組み立てるようにするのが好ましい。
【００５４】
また上記の実施形態では、基礎ベース３をコの字形に形成したが、本発明は、基礎ベース３をコの字形に形成する場合に限定されるものではない。例えば、上方から見た場合に外縁が正４角形を呈するように形成された枠形の基礎ベースを用いることもできる。
【００５５】
コンクリートピット１に設けるアンカーナットの配置は、図８に示した配置に限定されるものではなく、コンクリートピット１上における外箱の所望の設置位置に応じて、アンカーナットの配置を適宜に変更することができる。
【００５６】
例えば、コンクリートピット１の長手方向に位置をずらして３以上の設置位置を設定して、各設置位置に基礎ベース３を固定するために、３群以上のアンカーナットをコンクリートピットに設けるようにしてもよい。
【００５７】
上記の実施形態では、基礎ベース３をコンクリートピットに固定するために用いるアンカーナットの一部が、ピット蓋をコンクリートピットに固定するために用いるアンカーナットを兼ねているが、ピット蓋をコンクリートピットに固定するために用いるアンカーナットと、基礎ベース３をコンクリートピットに固定するために用いるアンカーナットとを別個に設けるようにしてもよい。
【００５８】
上記の各実施形態では、コンクリートピット１にアンカーナットを設けておいて、基礎ベース３に設けた取付け孔を貫通させたボルトをアンカーナットにねじ込むことにより基礎ベース３をコンクリートピット１に固定するとしたが、コンクリートピット１にアンカーボルトを固定しておいて、基礎ベース３に設けた取付け孔を貫通させたアンカーボルトにナットを螺合させることにより、基礎ベース３をコンクリートピット１に固定するようにしても良い。
【００５９】
上記の各実施形態では、本発明を適用する地上設置型電気機器として地上設置型の多回路開閉器を例にとったが、地上に設置される外箱内に構成要素を収容することにより構成される他の電気機器、例えば、地上設置型変圧器装置にも本発明を適用することができる。
【符号の説明】
【００６０】
１  コンクリートピット
１０１  コンクリートピットの開口部
２  地上設置型電気機器
３  基礎ベース
４  外箱
４ａ〜４ｄ  外箱の側面
４００  外箱本体
４０１  外箱本体の正面の開口部
４０２  側面４ｂに形成された窓部
４０３  側面４ｃに設けられた窓部
４０４  側面４ｄに設けられた窓部
４１０  開口部４０１を開閉する扉
ｎ１１〜ｎ１４  第１群のアンカーナット
ｎ２１〜ｎ２４  第２群のアンカーナット
ｂ１１〜ｂ１４  第１群のアンカーナットに螺合されるボルト
ｂ２１〜ｂ２４  第２群のアンカーナットに螺合されるボルト
ｈａ〜ｈｄ  基礎ベースに設けられた取付け孔
【図１】
2015116028.tif 000003
【図２】
2015116028.tif 000004
【図３】
2015116028.tif 000005
【図４】
2015116028.tif 000006
【図５】
2015116028.tif 000007
【図６】
2015116028.tif 000008
【図７】
2015116028.tif 000009
【図８】
2015116028.tif 000010
【図９】
2015116028.tif 000011
【図１０】
2015116028.tif 000012
【図１１】
2015116028.tif 000013
【図１２】
2015116028.tif 000014
【図１３】
2015116028.tif 000015